(57)【要約】【課題】画像形成機能とサーバ機能を備えた装置において、蓄電装置からの電力供給時にユーザにとって必要でない機能が稼動することによる無駄な電力消費を抑制する。【解決手段】統合サービス装置１００は、スキャン、プリント、コピー等の画像形成機能を提供する複合機１１０の部分と、メールサーバ等の各種サーバ機能を提供するサーバ装置１４０とを搭載している。ＵＩ制御部１２０２は、それら複数の機能のうち停電時（蓄電装置１６０からの給電時）に停止させるきのうの設定をユーザから受け付け、その設定の内容を停電時設定情報１２０６として保持する。停電時制御部１２１０は、停電が生じた場合に、停電時設定情報１２０６に示された停止対象の機能を停止し、その機能による電力消費を削減する。【選択図】図１
2019092079.tif 000002
【特許請求の範囲】
【請求項１】
画像形成装置であって、
画像形成機能及び１以上のサーバ機能を含む複数の機能を提供する手段と、
外部電源からの電力供給がない時に前記画像形成装置へ電力を供給可能な蓄電装置と、
前記複数の機能のうち、前記蓄電装置からの電力供給時に停止させる停止対象機能または稼動させる稼働対象機能を規定する設定情報の入力をユーザから受け付けて保持する受付手段と、
前記蓄電装置からの電力供給時に、前記複数の機能のうち前記設定情報に規定される前記停電対象機能を停止させる制御または前記複数の機能のうち前記設定情報に規定される前記稼働対象機能を稼働させる制御を行う制御手段と、
を含む画像形成装置。
【請求項２】
前記受付手段は、前記画像形成装置の設置目的毎に用意された、その設置目的に対応するデフォルトの停止対象機能又は稼働対象機能を規定するデフォルト情報を有し、ユーザから前記画像形成装置の設置目的の選択を受け付け、選択された前記設置目的に対応する前記デフォルト情報を前記設定情報として保持する、請求項１に記載の画像形成装置。
【請求項３】
前記受付手段は、前記複数の機能のうち選択された前記設置目的に対応する前記デフォルト情報が規定する前記停電対象機能又は前記稼働対象機能を示した設定画面を表示し、前記設定画面に対して停止対象機能又は稼働対象機能の変更の指示を受け付け、確定指示が入力されたときに前記設定画面に示される前記停止対象機能又は稼働対象機能を規定する情報を前記設定情報として保持する、請求項２に記載の画像形成装置。
【請求項４】
前記受付手段は、前記蓄電装置の蓄電残量のレベル毎にそのレベルに対応する前記設定情報の入力を受け付けて前記レベル毎に前記設定情報を保持し、
前記制御手段は、前記蓄電装置からの電源供給時に、現在の前記蓄電残量のレベルに対応する前記設定情報に規定される前記停電対象機能を停止させる制御または前記稼働対象機能を稼動させる制御を行う、請求項１〜３のいずれか１項に記載の画像形成装置。
【請求項５】
前記受付手段は、現在の前記蓄電残量のレベルに対応する前記設定情報を表示し、表示した前記設定情報に対する前記停止対象機能又は前記稼働対象機能の変更の指示を受け付ける機能を持つ、請求項４に記載の画像形成装置。
【請求項６】
前記受付手段は、前記画像形成装置の設置目的と前記蓄電残量のレベルとの組合せ毎に用意された、当該組合せに対応するデフォルトの前記停電対象機能又は前記稼働対象機能を規定する規定情報を有し、ユーザから前記設置目的と前記レベルとの組合せの選択を受け付け、選択された前記組合せに対応する前記規定情報を、当該組合せに係る前記設定情報として保持する、請求項４又は５に記載の画像形成装置。
【請求項７】
前記受付手段は、ユーザから選択された前記設置目的と前記レベルとの組合せに対応する前記規定情報が規定する前記停電対象機能又は前記稼働対象機能を示した設定画面を提示し、その設定画面に対して前記停止対象機能又は前記稼働対象機能の変更の指示を受け付け、確定指示が入力されたときに前記設定画面に示される前記停止対象機能又は稼働対象機能を規定する情報を、前記組合せに対応する前記設定情報として保持する、請求項６に記載の画像形成装置。
【請求項８】
前記受付手段は、前記複数の機能のうち前記停電対象機能以外の機能群を稼働させた場合、又は前記稼働対象機能群を稼働させた場合の、前記蓄電装置が電力供給可能な時間を表示する、請求項１〜７のいずれか１項に記載の画像形成装置。
【請求項９】
前記受付手段は、前記複数の機能の各々の機能について、当該機能を稼働させた場合の電力消費量のレベルを表示する、請求項１〜８のいずれか１項に記載の画像形成装置。
【請求項１０】
画像形成機能と１以上のサーバ機能とを含む複数の機能を提供する手段と、外部電源からの電力供給がない時に電力を供給可能な蓄電装置と、を含む統合サービス装置に設けられるコンピュータを、
前記複数の機能のうち、前記蓄電装置からの電力供給時に停止させる停止対象機能または稼動させる稼働対象機能を規定する設定情報の入力を受け付けて保持する受付手段、
前記蓄電装置からの電力供給時に前記複数の機能のうち前記設定情報に規定される前記停止対象機能を停止させる制御または前記複数の機能のうち前記設定情報に規定される前記稼働対象機能を稼働させる制御を行う制御手段、
として機能させるためのプログラム。
【請求項１１】
画像形成機能を提供する画像形成装置と、
１以上のサーバ機能を提供するサーバ装置と、
外部電源からの電力供給がない時に少なくとも前記サーバ装置へ電力を供給可能な蓄電装置と、
前記画像形成機能及び前記１以上のサーバ機能のうち前記蓄電装置からの電力供給時に停止させる停止対象機能または稼動させる稼働対象機能を規定する設定情報の入力をユーザから受け付けて保持する受付手段と、
前記蓄電装置からの電力供給時に前記複数の機能のうち前記設定情報に規定される前記停止対象機能を停止させる制御または前記複数の機能のうち前記設定情報に規定される前記稼働対象機能を稼働させる制御を行う制御手段と、
を含む画像形成システム。
【請求項１２】
画像形成装置であって、
画像形成機能及び１以上のサーバ機能を含む複数の機能を提供する手段と、
外部電源からの電力供給がない時に前記画像形成装置に電力を供給可能な蓄電装置と、
前記蓄電装置からの電力供給時に前記複数の機能のうち前記画像形成機能への前記蓄電装置からの電力の供給を停止し、前記１以上のサーバ機能のうち少なくとも１つのサーバ機能を前記蓄電装置からの電力の供給により稼働させる制御を行う制御手段と、
を含む画像形成装置。
【請求項１３】
前記制御手段は、前記蓄電装置からの電力供給時には、前記１以上のサーバ機能のうち、前記蓄電装置からの電力供給時に停止させるものとして予め設定されたサーバ機能を停止させる、請求項１２に記載の画像形成システム。
【請求項１４】
前記制御手段は、前記蓄電装置からの電力供給時には、前記画像形成機能を構成する複数の要素機能のうち前記蓄電装置からの電力供給時に停止させるものとして予め設定された１以上の要素機能への前記蓄電装置からの電力の供給を停止し、当該１以上の要素機能以外の要素機能には前記蓄電装置からの電力を供給する制御を行う、請求項１２又は１３に記載の画像形成装置。
【発明の詳細な説明】
【技術分野】
【０００１】
本発明は、画像形成装置、プログラム及び画像形成システムに関する。
【背景技術】
【０００２】
プリンタ、スキャナ、コピー機、ファクシミリ装置等の機能を兼ね備えた複合機が普及している。近年、メールサーバやファイルサーバ等のサーバ機能を備え、ネットワーク経由でクライアントにそれらサーバ機能を提供する複合機も現れている。また、停電時等にサーバ機能が突然ダウンすることによる障害を防止するために、複合機に無停電電源装置（ＵＰＳ：Uninterruptible Power Supply）を設ける例も知られている。
【０００３】
特許文献１には、無停電電源装置に接続された熱定着方式のプリンタ機能を持つ複合機において、前記無停電電源装置から電力供給されたときに、プリント命令を実行しないことで、無停電電源装置の電力供給時間を延ばすことが記載されている。また、無停電電源装置から電力供給中にホストからプリント命令が来た場合に、無停電電源装置によりシステム維持中のためプリント出力不可であることを複合機からホストに通知することが記載されている。
【先行技術文献】
【特許文献】
【０００４】
【特許文献１】特開２００１−２５３１５２号公報
【発明の概要】
【発明が解決しようとする課題】
【０００５】
画像形成装置にいくつかのサーバ機能を持たせた場合、画像形成装置は、印刷機能、スキャン機能、コピー機能等の画像形成装置が通常持っているいくつかの画像形成機能に加え、更にそれらサーバ機能を持つことになる。無停電電源装置等の蓄電装置を画像形成装置に設けて停電時にも画像形成装置を運用可能とする場合、それら画像形成機能やサーバ機能のすべてに電力供給を行うと、電力使用量が多くなり、蓄電装置で運用可能な時間が短くなってしまう。そこで、停電時に動作させる機能を限定しておき、それ以外の機能を停止することで蓄電装置での運用時間を延ばすことが考えられる。ここで、画像形成装置又はシステムが備える様々な機能のうちどれを停電時でも維持したいのかはユーザ毎に異なる。
【０００６】
本発明は、画像形成機能及びサーバ機能を有する装置又はシステムにおいて、蓄電装置から供給される電力で稼動する時に、ユーザにとって必要でない機能が稼動することによる無駄な電力消費を抑制することを目的とする。
【課題を解決するための手段】
【０００７】
請求項１に係る発明は、画像形成装置であって、画像形成機能及び１以上のサーバ機能を含む複数の機能を提供する手段と、外部電源からの電力供給がない時に前記画像形成装置へ電力を供給可能な蓄電装置と、前記複数の機能のうち、前記蓄電装置からの電力供給時に停止させる停止対象機能または稼動させる稼働対象機能を規定する設定情報の入力をユーザから受け付けて保持する受付手段と、前記蓄電装置からの電力供給時に、前記複数の機能のうち前記設定情報に規定される前記停電対象機能を停止させる制御または前記複数の機能のうち前記設定情報に規定される前記稼働対象機能を稼働させる制御を行う制御手段と、を含む画像形成装置である。
【０００８】
請求項２に係る発明は、前記受付手段は、前記画像形成装置の設置目的毎に用意された、その設置目的に対応するデフォルトの停止対象機能又は稼働対象機能を規定するデフォルト情報を有し、ユーザから前記画像形成装置の設置目的の選択を受け付け、選択された前記設置目的に対応する前記デフォルト情報を前記設定情報として保持する、請求項１に記載の画像形成装置である。
【０００９】
請求項３に係る発明は、前記受付手段は、前記複数の機能のうち選択された前記設置目的に対応する前記デフォルト情報が規定する前記停電対象機能又は前記稼働対象機能を示した設定画面を表示し、前記設定画面に対して停止対象機能又は稼働対象機能の変更の指示を受け付け、確定指示が入力されたときに前記設定画面に示される前記停止対象機能又は稼働対象機能を規定する情報を前記設定情報として保持する、請求項２に記載の画像形成装置である。
【００１０】
請求項４に係る発明は、前記受付手段は、前記蓄電装置の蓄電残量のレベル毎にそのレベルに対応する前記設定情報の入力を受け付けて前記レベル毎に前記設定情報を保持し、前記制御手段は、前記蓄電装置からの電源供給時に、現在の前記蓄電残量のレベルに対応する前記設定情報に規定される前記停電対象機能を停止させる制御または前記稼働対象機能を稼動させる制御を行う、請求項１〜３のいずれか１項に記載の画像形成装置である。
【００１１】
請求項５に係る発明は、前記受付手段は、現在の前記蓄電残量のレベルに対応する前記設定情報を表示し、表示した前記設定情報に対する前記停止対象機能又は前記稼働対象機能の変更の指示を受け付ける機能を持つ、請求項４に記載の画像形成装置である。
【００１２】
請求項６に係る発明は、前記受付手段は、前記画像形成装置の設置目的と前記蓄電残量のレベルとの組合せ毎に用意された、当該組合せに対応するデフォルトの前記停電対象機能又は前記稼働対象機能を規定する規定情報を有し、ユーザから前記設置目的と前記レベルとの組合せの選択を受け付け、選択された前記組合せに対応する前記規定情報を、当該組合せに係る前記設定情報として保持する、請求項４又は５に記載の画像形成装置である。
【００１３】
請求項７に係る発明は、前記受付手段は、ユーザから選択された前記設置目的と前記レベルとの組合せに対応する前記規定情報が規定する前記停電対象機能又は前記稼働対象機能を示した設定画面を提示し、その設定画面に対して前記停止対象機能又は前記稼働対象機能の変更の指示を受け付け、確定指示が入力されたときに前記設定画面に示される前記停止対象機能又は稼働対象機能を規定する情報を、前記組合せに対応する前記設定情報として保持する、請求項６に記載の画像形成装置である。
【００１４】
請求項８に係る発明は、前記受付手段は、前記複数の機能のうち前記停電対象機能以外の機能群を稼働させた場合、又は前記稼働対象機能群を稼働させた場合の、前記蓄電装置が電力供給可能な時間を表示する、請求項１〜７のいずれか１項に記載の画像形成装置である。
【００１５】
請求項９に係る発明は、前記受付手段は、前記複数の機能の各々の機能について、当該機能を稼働させた場合の電力消費量のレベルを表示する、請求項１〜８のいずれか１項に記載の画像形成装置である。
【００１６】
請求項１０に係る発明は、画像形成機能と１以上のサーバ機能とを含む複数の機能を提供する手段と、外部電源からの電力供給がない時に電力を供給可能な蓄電装置と、を含む統合サービス装置に設けられるコンピュータを、前記複数の機能のうち、前記蓄電装置からの電力供給時に停止させる停止対象機能または稼動させる稼働対象機能を規定する設定情報の入力を受け付けて保持する受付手段、前記蓄電装置からの電力供給時に前記複数の機能のうち前記設定情報に規定される前記停止対象機能を停止させる制御または前記複数の機能のうち前記設定情報に規定される前記稼働対象機能を稼働させる制御を行う制御手段、として機能させるためのプログラムである。
【００１７】
請求項１１に係る発明は、画像形成機能を提供する画像形成装置と、１以上のサーバ機能を提供するサーバ装置と、外部電源からの電力供給がない時に少なくとも前記サーバ装置へ電力を供給可能な蓄電装置と、前記画像形成機能及び前記１以上のサーバ機能のうち前記蓄電装置からの電力供給時に停止させる停止対象機能または稼動させる稼働対象機能を規定する設定情報の入力をユーザから受け付けて保持する受付手段と、前記蓄電装置からの電力供給時に前記複数の機能のうち前記設定情報に規定される前記停止対象機能を停止させる制御または前記複数の機能のうち前記設定情報に規定される前記稼働対象機能を稼働させる制御を行う制御手段と、を含む画像形成システムである。
【００１８】
請求項１２に係る発明は、画像形成装置であって、画像形成機能及び１以上のサーバ機能を含む複数の機能を提供する手段と、外部電源からの電力供給がない時に前記画像形成装置に電力を供給可能な蓄電装置と、前記蓄電装置からの電力供給時に前記複数の機能のうち前記画像形成機能への前記蓄電装置からの電力の供給を停止し、前記１以上のサーバ機能のうち少なくとも１つのサーバ機能を前記蓄電装置からの電力の供給により稼働させる制御を行う制御手段と、を含む画像形成装置である。
【００１９】
請求項１３に係る発明は、前記制御手段は、前記蓄電装置からの電力供給時には、前記１以上のサーバ機能のうち、前記蓄電装置からの電力供給時に停止させるものとして予め設定されたサーバ機能を停止させる、請求項１２に記載の画像形成システムである。
【００２０】
請求項１４に係る発明は、前記制御手段は、前記蓄電装置からの電力供給時には、前記画像形成機能を構成する複数の要素機能のうち前記蓄電装置からの電力供給時に停止させるものとして予め設定された１以上の要素機能への前記蓄電装置からの電力の供給を停止し、当該１以上の要素機能以外の要素機能には前記蓄電装置からの電力を供給する制御を行う、請求項１２又は１３に記載の画像形成装置である。
【発明の効果】
【００２１】
請求項１、１０〜１４に記載の発明によれば、画像形成機能及びサーバ機能を有する装置又はシステムにおいて、蓄電装置から供給される電力で稼動する時に、ユーザにとって必要でない機能が稼動することによる無駄な電力消費を抑制することができる。
【００２２】
請求項２に記載の発明によれば、画像形成装置の設置目的に応じた停止対象機能又は稼働対象機能を、個々の機能毎に蓄電装置からの電力供給時に停止すべきかどうかを指定する場合よりも簡便に設定することができる。
【００２３】
請求項３に記載の発明によれば、設置目的に対応する停止対象機能又は稼働対象機能の設定を、デフォルトからユーザの希望に添ったものへと調整することができる。
【００２４】
請求項４に記載の発明によれば、蓄電残量のレベルに応じて停止対象機能又は稼働対象機能変えることが可能になる。
【００２５】
請求項５に記載の発明によれば、蓄電装置からの電力供給時に停止対象機能又は稼働対象機能の設定情報を変更する際に、そのときの蓄電残量に応じたレベルの設定情報を変更し、機能の稼働・停止に反映させることができる。
【００２６】
請求項６に記載の発明によれば、設置目的と蓄電残量のレベルとの組合せごとの停止対象機能又は停止対象機能を、個々の機能毎に停電時に停止すべきかどうかを指定する場合よりも簡便に設定することができる。
【００２７】
請求項７に記載の発明によれば、設置目的と蓄電残量の組合せごとに対応する停止対象機能又は稼働対象機能の設定を、デフォルトからユーザの希望に添ったものへと調整することができる。
【００２８】
請求項８に記載の発明によれば、停止対象機能又は稼働対象機能の設定が適切かどうかの判断基準となる情報を提供することができる。
【００２９】
請求項９に記載の発明によれば、個々の機能を蓄電装置からの電力供給時に停止させたときの、蓄電装置の電力供給可能な時間に対する影響を示す情報を提供することができる。
【図面の簡単な説明】
【００３０】
【図１】複合機機能とサーバ機能と蓄電装置を備えた統合サービス装置の概略構成を例示する図である。
【図２】情報処理部の機能構成を例示する図である。
【図３】停電時設定情報の例を示す図である。
【図４】停電時設定情報の設定画面の例を示す図である。
【図５】停電時制御部の制御の手順の一部を例示する図である。
【図６】停電時制御部の制御の手順の残りの部分を例示する図である。
【図７】停電時に表示される、一部機能への電源遮断を予告する画面の例を示す図である。
【図８】通常時のホーム画面（複合機の初期画面）の例を示す図である。
【図９】停電時のホーム画面の例を示す図である。
【図１０】統合サービス装置の別の構成を例示する図である。
【図１１】統合サービス装置の更に別の構成を例示する図である。
【図１２】各機能の電力消費の程度や、設定内容に対応する蓄電装置による駆動時間の目安を表示した、停電時設定情報の設定画面を例示する図である。
【図１３】設置目的別のテンプレートの選択画面を例示する図である。
【図１４】蓄電残量に応じて停電時設定情報を使い分ける処理の手順を例示する図である。
【図１５】停電中における停電時設定情報の設定変更の手順を例示する図である。
【発明を実施するための形態】
【００３１】
図１を参照して、統合サービス装置１００の一実施形態を説明する。
【００３２】
統合サービス装置１００は、複合機１１０、後処理装置１３０、サーバ装置１４０、表示装置１５０、及び蓄電装置１６０を含む。一つの例では、統合サービス装置１００は、それら複合機１１０〜蓄電装置１６０を１つの筐体に内蔵した１個の装置として構成されていてもよい。この場合、統合サービス装置１００は、複合機１１０〜蓄電装置１６０の各装置をそれぞれ構成する要素群を１つの筐体内に内蔵している。また、別の例では、複合機１１０〜蓄電装置１６０の各装置がそれぞれ別々の筐体に内蔵され、統合サービス装置１００は、それら別筐体の装置を接続したシステムとして構成されていてもよい。またそれら２つの例の中間的なシステム形態、すなわち統合サービス装置１００は、複数の筐体（装置）を接続したシステムとして構成され、それら筐体のうちの一以上は、複合機１１０〜蓄電装置１６０の各装置のうち２つ以上の装置を内蔵しているという形態もあり得る。
【００３３】
複合機１１０は、スキャン、プリント、コピー、ＦＡＸ（ファクシミリ）送受信等の機能を兼ね備えた装置である。複合機１１０は、機能要素として、スキャン機構１１２、プリント機構１１４、ＦＡＸ機構１１６、ネットワーク通信部１１８、及び情報処理部１２０を含んでいる。
【００３４】
スキャン機構１１２は、紙等の原稿を光学的に読み取ってその原稿の画像データを生成する。スキャン機構１１２の読取りにより生成された画像データを、情報処理部１２０が複合機１１０内の固定記憶装置や可搬型の記録媒体（例えばＵＳＢメモリ）に保存したり、ユーザから指定された宛先（例えばメールアドレス、ファイルサーバ内の特定フォルダ等）に転送したりすることで、スキャン処理が実現される。
【００３５】
プリント機構１１４は、スキャンにより得られた画像データや、ページ記述言語で記述された印刷データから生成された画像データを、用紙上に印刷する。スキャン機構１１２で読み取られた画像をプリント機構１１４で印刷することで、コピー機能が実現される。
【００３６】
ＦＡＸ機構１１６は、電話回線を介してＦＡＸ画像データの送受信を行う。ＦＡＸの送信は、スキャン機構１１２で読み取った原稿の画像を、ＦＡＸ機構１１６により宛先番号に送信することで実現される。またＦＡＸの受信は、送信元から送られてきたＦＡＸ画像データをＦＡＸ機構１１６で受信し、その画像データをプリント機構１１４で印刷したり、あるいは情報処理部１２０の管理下にある予め定められたフォルダにその画像データをファイルとして保存したりすることで実現される。
【００３７】
ネットワーク通信部１１８は、ＬＡＮ（ローカルエリアネットワーク）等のネットワークを介するデータ通信を行う。ネットワーク通信部１１８は、有線ネットワーク経由での通信を行う通信装置と、Wi-Fi（登録商標）等の無線ネットワークプロトコルに準拠した通信を行う通信装置との両方を備えていてもよいし、いずれか一方のみを備えていてもよい。
【００３８】
情報処理部１２０は、複合機１１０の制御を含む情報処理を実行する。情報処理部１２０は、ＣＰＵ（中央演算装置）、ランダムアクセスメモリ等の一次記憶、ハードディスクや不揮発性メモリ等の二次記憶等のハードウエアと、ＣＰＵにより実行されることで情報処理を実現するプログラム群と、を含んでいる。情報処理部１２０が実行する情報処理機能については、後で図２を参照して更に説明する。
【００３９】
後処理装置１３０は、プリント機構１１４からの印刷出力物に対して、パンチ穴あけ、ステープル留め、製本等の後処理を実行する装置である。後処理装置１３０は、複合機１１０の電源回路から電力供給を受ける。
【００４０】
サーバ装置１４０は、メールサーバ、ユーザ認証サーバ、ウェブサーバ等の各種サーバ機能のうちの一以上を提供する装置である。各サーバは、それぞれＬＡＮ（ローカルエリアネットワーク）上、又はインターネット上のクライアントに対してサービスを提供する。一つの例では、サーバ装置１４０は、それらサーバのプログラムを実行するためのハードウエアとしてのコンピュータ（例えばＣＰＵ、メモリ等を搭載したブレードとして構成される）を備えている。サーバ装置１４０は、ハードウエアとしてのコンピュータを複数含んでいてもよい。サーバ装置１４０が有する個々のコンピュータがそれぞれ１以上のサーバプログラムを実行することで、統合サービス装置１００が提供する１以上のサーバ機能が実現される。
【００４１】
一つの例では、統合サービス装置１００が提供する１以上のサーバ機能のうちのいくつかを、複合機１１０の情報処理部１２０で実行してもよい。また、別の例として、サーバ装置１４０は、複合機１１０の情報処理部１２０上で実行される仮想的なサーバであってもよい。この場合、ハードウエアとしてのサーバ装置１４０は存在せず、すべてのサーバ機能が複合機１１０上の情報処理部１２０により提供される。すなわち、図１では説明の便宜上、複合機１１０の情報処理部１２０とサーバ装置１４０を分けて示しているが、これらはハードウエア的に分かれている必要はない。
【００４２】
表示装置１５０は、統合サービス装置１００のＵＩ（ユーザインターフェース）の一要素である操作画面を表示する。操作画面は、例えば、図２に示すＵＩ制御部１２０２が生成する。表示装置１５０は、例えばタッチパネルディスプレイであってもよい。なお、統合サービス装置１００は、表示装置１５０の他に、機械式のテンキーやボタン、表示ランプ、スピーカ、カメラ等のＵＩ装置を備えていてもよい。
【００４３】
蓄電装置１６０は、商用電源等の外部電源に接続されており、通常は、外部電源からの電力を統合サービス装置１００内の複合機１１０、サーバ装置１４０等の各要素に供給する。また蓄電装置１６０は、外部電源からの電力を蓄電し、外部電源からの電力供給がない場合には、蓄電した電力を統合サービス装置１００内の各要素に供給する機能を持つ。外部電源からの電力供給がない場合としては、外部電源である商用電源に落雷や事故等により停電が生じている場合、外部電源（例えば自家発電システム）が故障等により稼働していない場合、統合サービス装置１００（特に蓄電装置１６０）が外部電源から電力供給を受けるためのコネクタ（差込プラグ）が外部電源側のコネクタ（プラグ受け、例えばコンセント）から外れている場合、等がある。以下では、統合サービス装置１００に対して外部電源からの電力供給がない状態のことを「停電」と総称し、そのような状態が継続している期間のことを「停電時」と呼ぶ。停電時には、蓄電装置１６０が蓄電している電力が、統合サービス装置１００の各部に供給される。蓄電装置１６０は、例えば無停電電源装置として構成される。
【００４４】
次に情報処理部１２０の機能構成の例を、図２を参照して説明する。図１では、便宜上、情報処理部１２０は複合機１１０に属しているものとして説明したが、情報処理部１２０は、複合機１１０のハードウエア（スキャン機構１１２、プリント機構１１４等）の制御の他に、サーバ装置１４０や蓄電装置１６０等を含む統合サービス装置１００全体のための制御や処理を担っている。このような統合サービス装置１００全体のための制御として、ＵＩ処理や停電時の制御等がある。図２には、情報処理部１２０が備える各種の機能のうち、それらＵＩ処理や停電時の制御等に関する機能を示す。
【００４５】
図２において、ＵＩ制御部１２０２は、統合サービス装置１００のＵＩのための制御を実行する。ＵＩ制御部１２０２は、例えば表示装置１５０に表示する各種の操作画面を生成したり、その操作画面上のＧＵＩ（グラフィカルユーザインタフェース）部品及び各種の機械的なボタン等に対するユーザの操作を検知したりする。
【００４６】
設定管理部１２０４は、統合サービス装置１００に対する各種の設定情報を管理する。設定管理部１２０４が管理する設定情報には、例えばコピー機能やスキャン機能といった各種機能についての設定の他に、停電時の制御に関する設定情報（停電時設定情報１２０６）がある。また設定管理部１２０４には、ユーザが統合サービス装置１００のローカルのＵＩを操作しているときに停電が生じた場合に、予め設定されている機能に対する電力供給を遮断するまでの猶予時間である電源遮断時間も設定可能である（詳細は後述）。
【００４７】
停電検知部１２０８は、統合サービス装置１００に給電している外部電源の停電（言い換えれば蓄電装置１６０の蓄電電力が統合サービス装置１００の各部に給電されている状態）を検知する。例えば、蓄電装置１６０は外部電源の停電を検知する機能を持っており、情報処理部１２０の停電検知部１２０８は、蓄電装置１６０から停電の有無の情報（言い換えれば外部電源からの給電か、蓄電電力からの給電かのいずれであるかを示す情報）を得る。また、停電検知部１２０８は、蓄電装置１６０から、蓄電残量、電力消費量の履歴等の情報を取得してもよい。
【００４８】
停電時制御部１２１０は、停電検知部１２０８が停電を検知した場合に、停電時の停止対象として予め設定されている機能を停止したり、その停止に応じた操作画面の切換制御を行ったりする。停電時制御部１２１０については、後で詳しい例を説明する。
【００４９】
操作中判定部１２１２は、統合サービス装置１００のローカルのＵＩ（表示装置１５０やテンキー等）をユーザが操作中であるか否かを判定する。操作中か否かの判定は、公知の方法を用いればよい。例えば、操作中判定部１２１２は、ユーザがローカルのＵＩに対して操作を行った（例えば画面にタッチした、何らかのボタンを押した、あるいは音声により指示を入力した等）時点から少なくとも所定の（すなわち予め定められた）時間が経過するまでは、操作中であると判定する。そして、無操作の期間が所定の時間以上続くと操作中でなくなった（「非操作中」）と判定し、この後ローカルのＵＩにユーザが何らかの操作を行うまで非操作中と判定する。別の例では、統合サービス装置１００の正面（表示装置１５０やテンキー等が設けられた側）の近傍にいる人を検知するために人感センサ等のセンサを設け、そのセンサが人を検知している間は操作中、そうでない期間は非操作中と判定してもよい。
【００５０】
図３に、設定管理部１２０４が保持する停電時設定情報１２０６の例を示す。例示する停電時設定情報には、統合サービス装置１００が持つ機能毎に、停電時稼働フラグがある。
【００５１】
ここでいう機能には、ハードウエアとソフトウエアとがある。スキャン機構１１２、プリント機構１１４、ＦＡＸ機構１１６、有線ネットワーク及び無線ネットワーク（ネットワーク通信部１１８）、表示装置１５０、後処理装置１３０は、それぞれハードウエアとしての機能である。メールサーバ、ユーザ認証サーバ等の各種サーバ機能は、サーバ装置１４０が提供するソフトウエア等の、機能である。また、スキャンサービス、プリントサービス、コピーサービス、ＦＡＸ送信、ＦＡＸ受信、電話サービスは、スキャン、プリント、ＦＡＸ、電話等のためのＵＩや情報処理を担当するソフトウエア的な機能である。
【００５２】
停電時稼働フラグは、当該機能を停電時（すなわち蓄電装置１６０が蓄電した電力を統合サービス装置１００内に給電している期間）に稼働させるか否かを示す設定項目である。停電時稼働フラグが「ＯＮ」である機能は停電時に稼働させる稼働対象機能である。これに対して停電時稼働フラグが「ＯＦＦ」である機能は停電時には稼働させない。すなわち、停電時稼働フラグが「ＯＦＦ」である機能は、停電時に停止の対象となる停止対象機能である。停電時稼働フラグの値は、固定（すなわちユーザ側が変更できない）でもよいし、ユーザ（典型的には統合サービス装置１００の管理者）が設定できるようにしてもよい。
【００５３】
また停電時設定情報には、機能毎に依存先機能が登録できるようにしてもよい。ある機能（第１の機能と称す）についての依存先機能は、第１の機能を発揮するための前提となる機能である。例えば、プリント機構が稼働していないときには、後処理装置の機能は発揮できない（言い換えれば、そのようなときに後処理装置を稼働させていても役に立たない）ので、プリント機構は後処理装置にとっての依存先機能である。また、有線又は無線ネットワークが稼働していない状態でメールサーバだけ稼働しても意味がないので、それらネットワークの機能はメールサーバにとっての依存先機能である。ファイルサーバやユーザ認証サーバは、ネットワーク上のクライアントへのサービス提供も行うが、統合サービス装置１００単体で利用する（例えば統合サービス装置１００のＵＩからファイルサーバ内のファイルを指定して印刷する等）ことも可能なので、ネットワークは、この例における依存先機能の定義では、それらサーバにとっての依存先機能に該当しない。この実施形態では、ある機能の停電時稼働フラグがＯＦＦにされた場合に、その機能を依存先機能とする他の機能の停電時稼働フラグも自動的にＯＦＦに変更する。
【００５４】
図３に示す停電時設定情報は、統合サービス装置１００が持つ複数の機能のそれぞれが停電時の稼働対象機能又は停止対象機能のいずれであるかを示すものであった。この代わりにそれら複数の機能のうち停電時の停止対象機能のみのリストを停電時設定情報として用いてもよい。この場合、後述する停電時制御部１２１０は、停電時には、停電時設定情報が示す停止対象機能を停止させ、それ以外の機能は維持する。また、それら複数の機能のうち停電時の稼働対象機能のみのリストを停電時設定情報として用いてもよい。この場合、停電時制御部１２１０は、停電時には、停電時設定情報に示される各稼働対象機能の稼働状態を維持すると共に、それら稼働対象機能以外の機能は停止させる。
【００５５】
なお、図３に例示した停電時設定情報１２０６の内容はあくまで一例に過ぎない。別の例として、停電時設定情報１２０６は、複合機１１０（プリント、スキャン、コピー等の機能を担う）は停電時の停止対象とし、サーバ装置１４０（メールサーバ、ファイルサーバ等）は停電時の停止対象としない、等のより大まかな設定内容を表すものであってもよい。
【００５６】
停電時に稼働させる機能と停止する機能の基本的な判断基準は、電力消費の大きさである。停電時は、蓄電残量に限りがある蓄電装置１６０からの給電に頼るため、必要な機能をできるだけ長く使用できるようにするには、電力消費の大きい機能を停止させることが必要になる。例えば、プリント機構１１４は、印刷のための機械的な機構を動作させる必要があり、消費電力が大きい。特に電子写真方式を用いている場合には、トナーを用紙に定着させるための熱を発生させるために非常に多くの電力を消費する。スキャン機構１１２も、原稿送り等の機械的な機構や、原稿に対する照明等のために比較的多くの電力を消費する。サーバ装置１４０の消費電力は、それらに比べると小さい。また災害等による停電の場合、メールサーバ機能その他のサーバ機能は、情報通信インフラの一つの選択肢として重要な役割を果たす可能性がある。このため、停電時の統合サービス装置１００の稼働時間を延ばすためには、プリント機構１１４やスキャン機構１１２を持つ複合機１１０への給電を停止することが基本方針となる。ただし、停電時でもどの機能を維持したいかはユーザ側の事情にもよるので、上述の例では、ユーザが停電時に稼働させる機能、停止させる機能を設定できるようにしている。
【００５７】
図４に、ＵＩ制御部１２０２が表示装置１５０に表示する、停電時設定情報１２０６の設定画面２００を例示する。この例では、設定画面２００には、機能毎に、その機能の名称を表示したＧＵＩのボタン２０２ａ、２０２ｂが表示される。図示例では、ボタン２０２ａ又は２０２ｂの色で、対応する機能の停電時稼働フラグの値を表現している。グレー色のボタン２０２ａは停電時稼働フラグが「ＯＦＦ」であることを示し、白色のボタン２０２ｂは停電時稼働フラグが「ＯＮ」であることを示す。例えば、ユーザがボタン２０２ａ又は２０２ｂを押下（タップ）する毎に、そのボタン２０２ａ又は２０２ｂに対応する機能の停電時稼働フラグの値（ＯＮ又はＯＦＦ）が切り替わり、それに応じてそのボタン２０２ａ又は２０２ｂの色が白とグレーの間で切り替わる。ユーザから呼び出された設定画面２００は、現在の停電時設定情報１２０６における各機能についての停電時稼働フラグの値を反映した表示状態であり、これに対して変更を加えていく。ユーザは、設定画面２００上に示される停電時に稼働させる機能群を確認し、その設定でよければ、その画面内の「決定」ボタンを押下する。これにより、設定管理部１２０４は、停電時設定情報の内容を、その設定画面２００で設定された状態を示す内容へと変更する。
【００５８】
デフォルト状態（工場出荷時等）の停電時設定情報１２０６は、例えば、複合機１１０のメカ機構を利用する機能（プリント、コピー、スキャン、ＦＡＸ送受信等）については停電時稼働フラグがＯＦＦ、サーバ機能については停電時稼働フラグをＯＮと設定されたものでよい。
【００５９】
なお、設定画面２００上のボタン２０２ａ又は２０２ｂをタップすることで停電時稼働フラグを切り替えるという設定方法はあくまで一例に過ぎず、停電時設定情報１２０６の設定には、公知の様々な方法を利用してよい。例えば、ボタン２０２ａ又は２０２ｂをタップすることで、その機能に対応する停電時稼働フラグの切り替え画面を呼び出し、その切り替え画面上でそのフラグのＯＮ・ＯＦＦを切り替えてもよい。また、ボタン２０２ａ又は２０２ｂをタップすることで、対応する機能についての停電時の詳細設定画面を呼び出し、その詳細設定画面上で、その機能の停電時の動作についての詳細を設定できるようにしてもよい。例えば、「プリント」機能のボタンを押下することで、ハードウエアとしてのプリント機構１１４の停電時稼働フラグと、ソフトウエアとしてのプリントサービスの停電時稼働フラグをそれぞれ切り替えられる詳細設定画面を表示してもよい。この画面でプリント機構１１４の停電時稼働フラグをＯＦＦすると、これに依存するプリントサービスの停電時稼働フラグもＯＦＦに変更される。逆に、プリントサービスをＯＦＦにしても、プリント機構１１４は自動的にはＯＦＦに変更されない。また、設定画面２００でＦＡＸ受信のボタンを押下することで、ＦＡＸ受信についての詳細設定画面を表示してもよい。その詳細設定画面では、例えば、停電時のＦＡＸ受信時の動作を、ＦＡＸ受信機能全体を停止する、受信ＦＡＸを印刷せずにデータとして蓄積する、受信ＦＡＸを印刷するといったいくつかの選択肢から選択できるようにしてもよい。
【００６０】
次に、図５〜図６のフローチャートを参照して、停電検知部１２０８が停電を検知した際に停電時制御部１２１０が実行する制御の一例を説明する。
【００６１】
この例では、停電が検知された場合、停電時制御部１２１０は、現在、統合サービス装置１００をユーザがローカルで操作中か否かを操作中判定部１２１２に問い合わせる（Ｓ１０）。この問合せに対して操作中判定部１２１２からユーザが操作中である旨の応答があった場合、停電時制御部１２１０は、設定管理部１２０４に設定されている電源遮断時間を読み出す（Ｓ１２）。また停電時制御部１２１０は、ＵＩ制御部１２０２に対して、電源遮断予告画面の表示を指示する（Ｓ１４）。電源遮断予告画面は、停電時の停止対象に設定された機能を停止（すなわちその機能に対する電力供給を停止）することを予告する画面である。図７に電源遮断予告画面３００の例を示す。この電源遮断予告画面３００には、事情を説明するメッセージ３０２が表示される。例示したメッセージ３０２には、現在停電中であること、統合サービス装置１００が蓄電装置（ＵＰＳ）からの給電で稼働していること、特定の機能（図示例では複合機１１０の機能）は所定の電源遮断時間（図示例では１分）後にシャットダウンするため使用不可となること、他の機能（図示例ではメールサーバ等）はその後も使用可能であること、が示される。ユーザは、自分がＵＩを操作中に停電が生じ、電源遮断予告画面３００が表示されると、その表示を見て、これから所定時間が経過すると停止対象機能が使えなくなることを知る。そして、ユーザは、いままで行っていた操作がその停止対象機能を使用するためのものであった場合には、その時間内にその機能を使用した処理が完了できそうになければ、その機能を使用するのを止める。また、ユーザがいままで行っていた操作が停電時も稼働する機能についてのものである場合には、図示省略した消去ボタンを押下して電源遮断予告画面３００を消してその機能についての画面に戻り、その画面で操作を続行する。
【００６２】
また、電源遮断予告画面３００には、停電時の停止対象機能を、電源遮断時間の経過を待たずにシャットダウンするための指示ボタン３０４が含まれる。ユーザがこの指示ボタン３０４を押下すると、停止対象機能が即座にシャットダウンされ、停止対象機能への電力供給が止まる。
【００６３】
なお、電源遮断時間の値は、管理者等予め定められた者が設定管理部１２０４に設定する。また、電源遮断予告画面３００がある程度長い時間表示される可能性を考慮して、その画面内に電源遮断時間経過までの残り時間をカウントダウン表示してもよい。電源遮断予告画面３００は、指示ボタン３０４が押下されたとき又は所定の時間（例えば電源遮断時間）が経過したときに消去され、その後はその電源遮断予告画面３００が表示される直前に表示していた画面が表示される。
【００６４】
図５の説明に戻ると、Ｓ１４の後、停電時制御部１２１０は、電源遮断時間が経過するのを待ち（Ｓ１６）、経過するとＳ１８に進む。また、Ｓ１０で現在ユーザが統合サービス装置１００のローカルのＵＩを操作中でない場合にも、停電時制御部１２１０はＳ１８に進む。
【００６５】
Ｓ１８では、停電時制御部１２１０は、設定管理部１２０４から停電時設定情報１２０６を読み出す。そして、停電時設定情報１２０６に示された停電時の停止対象機能（すなわち停電時稼働フラグがＯＦＦの機能）を停止（シャットダウン）し、それら停止対象機能への電力の供給を止める（Ｓ２０）。
【００６６】
次に停電時制御部１２１０は、現在表示装置１５０に表示中の画面が統合サービス装置１００のホーム画面であるか否かを判定する（Ｓ２２）。ここで、ホーム画面は、統合サービス装置１００の機能一覧のメニューを表示した画面であり、ユーザはこのホーム画面上で自分が使用したい機能を選択し、その機能についての詳細な指示を入力するための詳細画面を開く。Ｓ２２の判定結果がＹｅｓの場合、ＵＩ制御部１２０２に対して、停止対象機能を選択するためのＧＵＩ部品（例えばアイコン）を非表示としたホーム画面３１０を表示するよう指示する（Ｓ２４）。また、停電時制御部１２１０は、ホーム画面３１０のステータス欄に蓄電装置（ＵＰＳ）から給電で駆動中の旨を表示するようＵＩ制御部１２０２に指示する（Ｓ２６）。
【００６７】
例えば、通常（すなわち停電していない状態）のホーム画面３１０が図８に例示するものであったとする。このホーム画面３１０には、コピー、スキャン、ＦＡＸ送信、ファイルサーバ、電子メール等の各機能の詳細画面を呼び出すためのアイコン３１２が表示されている。これに対して、Ｓ２４及びＳ２６の処理の結果表示される停電時のホーム画面３１０ａ（図９参照）には、まず停電時でも維持されるファイルサーバ、電子メールのアイコン３１２は表示されるが、停電時の停止対象機能であるコピー、スキャン、ＦＡＸ送信のアイコンは表示されない。また、このホーム画面３１０ａには、ＵＰＳ給電中であるため使用できる機能が限られていることを示すメッセージを表示したステータス欄３１４が表示される。ユーザは、このステータス欄３１４の表示により、ホーム画面３１０にコピーやスキャン等のアイコンがないことの理由を把握する。
【００６８】
なお、Ｓ２４及び図９の例では、停止対象機能のアイコンを非表示としたが、あくまでこれは一例に過ぎない。この代わりに、停止対象機能のアイコンはグレーアウト表示（通常より目立たない態様での表示で、選択不可であることを示す）とし、ユーザからの選択を受け付けないようにしてもよい。また、更に別の例として、通常時でも停電時でも同じホーム画面３１０を表示し、停電時にホーム画面３１０上の停止対象機能のアイコン３１２が押下されたときに、その機能が停止されていることを表示（例えばホーム画面３１０上のステータス欄にその旨を表示）してもよい。
【００６９】
Ｓ２２で現在表示中の画面がホーム画面３１０でないと判定した場合（言い換えれば、ホーム画面３１０上のアイコンの押下により呼び出されたいずれかの詳細画面が表示されている場合）、停電時制御部１２１０は、図６に示すＳ２８の処理に進む。Ｓ２８では、停電時制御部１２１０は、現在表示中の画面が、停電時の停止対象機能の詳細画面であるか否かを判定する（Ｓ２８）。この判定の結果がＮｏ、すなわち現在表示中の画面が停電時にも稼働する機能の詳細画面である場合、停電時制御部１２１０はＳ２６に進み、その詳細画面にＵＰＳ給電中である旨を示すステータス欄（図９のステータス欄３１４と同様のもの）を表示する。Ｓ２８の判定結果がＹｅｓの場合、停電時制御部１２１０は、予め設定されている停電時の初期画面を読み出し（Ｓ３０）、その初期画面を表示するようＵＩ制御部１２０２に指示する（Ｓ３２）。停電時の初期画面は、ユーザが予め設定管理部１２０４に設定しておく。例えば、ホーム画面３１０ａ（図９参照）、電源遮断予告画面３００（図７参照）等の予め用意された候補から、停電時の初期画面とするものをユーザが選び、設定する。この後、停電時制御部１２１０はＳ２６に進み、その詳細画面にＵＰＳ給電中である旨を示すステータス欄を表示する。
【００７０】
図５の手順は、統合サービス装置１００が稼働中に停電が生じた場合のものである。これに対し、統合サービス装置１００が電源ＯＦＦ状態やスリープ状態にあるときに停電が生じ、その後統合サービス装置１００が起動されてそれらの状態から稼働状態へと移行する時点でも停電が続いていることもあり得る。この場合、停電時制御部１２１０は、例えば以下の処理を実行する。すなわち、停電時制御部１２１０は、統合サービス装置１００の起動時（電源がＯＮされたとき、又はスリープからの復帰時）に停電検知部１２０８に停電の有無を問合せ、停電していない等の応答を得た場合には、通常時のホーム画面３１０（図８参照）を表示装置１５０に表示するようＵＩ制御部１２０２に指示する。一方、停電検知部１２０８から停電中との応答を得た場合、停電時制御部１２１０は、停電時設定情報１２０６に示される停電対象機能を起動せず、また停電対象機能への給電を停止する。そして、予め設定された停電時の初期画面（図９のホーム画面３１０ａ等）を表示するようＵＩ制御部１２０２に指示する。これにより、停電中に起動した場合に、ユーザに対して停電中であることを知らせ、停電中に使用可能な機能を選択可能なＵＩを提供する。
【００７１】
また、ＵＩ制御部１２０２は、停電中に表示装置１５０に表示する操作画面上に、停電中に使用可能な機能の一覧表示を呼び出すＧＵＩ部品（例えばボタン）を表示してもよい。このＧＵＩ部品に対して一覧表示の表示指示が入力された場合、ＵＩ制御部１２０２は、停電時設定情報１２０６に示される停電時稼働フラグがＯＮの機能の一覧を表示した一覧画面を表示する。この一覧画面により、ユーザはそのとき（停電中）に使用できる機能を知る。また、その一覧画面上の各機能の表示を、その機能の詳細画面にリンクしておき、一覧画面上から機能の詳細画面を呼び出すことができるようにしてもよい。また、停電中に使用可能な機能の一覧の代わりに、停電中には使用不可能な機能（すなわち停電時稼働フラグがＯＦＦの機能）の一覧を表示してもよい。また、停電中に使用可能な機能の一覧と、使用不可能な機能の一覧の両方を表示してもよい。
【００７２】
また、以上の説明では、停電が生じた場合（すなわち蓄電装置１６０の蓄電電力からの給電を開始した場合）にすぐ図５及び図６の処理を開始するとした。しかし、停電の中には、落雷等による瞬間的な停電のように時間の短いものもあり、そのような短時間の停電の際に、上述した停止対象機能の停止や操作画面の変更を行うと、停電からの復帰時にまた機能や操作画面を元の状態に復帰する処理等が必要となりかえって煩雑になる。そこで、停電時制御部１２１０は、停電が検知されてもすぐには図５及び図６の処理を開始せず、予め定められた時間その停電状態が続いて始めて、図５及び図６の処理を開始するようにしてもよい。
【００７３】
以上に説明したように、本実施形態では、停電により蓄電装置１６０からの給電で統合サービス装置１００を稼働する場合に、予め設定された一部の機能への給電を停止することで、残りの機能の稼働時間を延ばす。また、停電時に稼働している機能と停止している機能（停止対象機能）とを、操作画面（例えばホーム画面３１０ａ）で区別して表示する。特に停止している機能はアイコンを非表示又はグレーアウト表示とすることで使用できないことが分かるようにすることで、どの機能が使用できるのかをユーザに把握しやすくしている。また、停電時の操作画面（ホーム画面３１０ａ等）に、停電中でありＵＰＳ（蓄電装置１６０）の給電で駆動していることを表示（ステータス欄３１４）するので、使用可能な機能が制限されている理由をユーザに伝えることができる。
【００７４】
図１に示した装置構成の例では、蓄電装置１６０から複合機１１０部分とサーバ装置１４０部分のそれぞれに対して給電を行ったが、このような構成は一例に過ぎない。この代わりに、図１０に例示するように、蓄電装置１６０からサーバ装置１４０の電源回路に給電を行い、複合機１１０はサーバ装置１４０の電源回路から給電を受ける構成としてもよい。このようにすれば、停電時に複合機１１０全体をシャットダウンした場合でも、サーバ装置１４０は蓄電装置１６０から電力供給を受けることができる。
【００７５】
また、図１の例では、複合機１１０とサーバ装置１４０とが一つの表示装置１５０を共用したが、この構成もあくまで一例に過ぎない。この代わりに、図１１に例示するように、複合機１１０専用の表示装置１５０ａとサーバ装置１４０専用の表示装置１５０とを別々に設けてもよい。この構成では、表示装置１５０ａは、複合機１１０に関する操作画面を表示するのに対して、表示装置１５０ｂはサーバ装置１４０についての情報を表示する。表示装置１５０ｂは、例えばサーバ装置１４０の操作画面を表示するタッチパネル等であってもよいし、稼働中であることを示す単なるランプであってもよい。複合機１１０への給電が停止した場合に、表示装置１５０ａへの給電も停止される。また、サーバ装置１４０への給電が停止した場合に、表示装置１５０ｂへの給電も停止される。一つの例では、停電時制御部１２１０は、停電が発生した場合に、複合機１１０、後処理装置１３０及び表示装置１５０ｂをシャットダウンする。これにより、蓄電装置１６０は、複合機１１０側への給電及び停止し、サーバ装置１４０及び表示装置１５０ｂに給電することとなり、サーバ機能を維持できる期間が延びる。
【００７６】
次に、停電時設定情報１２０６の設定画面２００の変形例を、図１２を参照して説明する。
【００７７】
図１２に例示する設定画面２００には、各機能のボタン２０２ａ、２０２ｂに対して、各機能の電力消費の程度を示す情報が表示される。この情報は、その機能の単位時間あたりの電力消費量を何段階かのレベルで示すものである。図示例では、大中小の３段階で表示しているが段階数は２段階でもよいし、３段階より多くてもよい。ユーザは、この電力消費の程度の情報を、停電時にどの機能を停止させるのかを決める際の参考にすることができる。
【００７８】
また、図１２の設定画面２００には、推定駆動時間表示欄２１０が表示される。推定駆動時間表示欄２１０には、設定画面２００での各機能の停電時の稼働／非稼働の選択状態で、蓄電装置１６０により統合サービス装置１００を駆動できる時間の推定値が表示される。例えば、停電時制御部１２１０は、各機能についての単位時間あたりの電力消費量の情報を有しており、その情報を参照して、停電時に稼働すると選択されている各機能の単位時間あたりの電力消費量を合計することで、統合サービス装置１００全体の停電時の単位時間あたりの電力消費量の値を求める。そして、この値と蓄電装置１６０の最大蓄電量から、現在の選択状態での推定駆動時間を算出する。ユーザは、この駆動時間の推定値を、停電時にどの機能を停止させるのかを決める際の参考にすることができる。
【００７９】
次に、停電時設定情報１２０６の設定を更に容易にするための変形例を説明する。停電時に統合サービス装置１００のどの機能を維持し、どの機能を停止させるかは、その統合サービス装置１００の設置目的に依存するものと考えられる。ここで言う設置目的とは、どのような目的で利用するために画像形成装置を設置したかということを含み、たとえば、統合サービス装置１００を使用しているユーザ（企業や公共団体等）が属する業種・業界、その統合サービス装置１００が設置される「場所」、業務名、利用するユーザの属性やユーザ名等を含む。
【００８０】
例えば、業界によっては、停電時でもスキャンやプリントの機能の方がサーバ機能より重要になる場合もある。例えば、病院やクリニックでは、災害による停電の際に、重篤な患者を拠点病院に移送する必要がでてくる場合がある。その場合、患者の電子的なカルテをプリントアウトして拠点病院に引き継いだり、逆に紙のカルテをＦＡＸで拠点病院に転送したりすることが必要になることがある。このため、病院等では、プリント機能、スキャン機能、ＦＡＸ送信機能を停電時の停止対象機能としないことが求められる可能性がある。また、郵便局や銀行等の金融機関では、ユーザが記入した出金票等の各種帳票をスキャンして記録する場合があり、停電時でもスキャン機能を維持したいニーズがある。
【００８１】
統合サービス装置１００が設置される「場所」には、例えば、統合サービス装置１００を使用しているユーザの内側（オフィスや工場等）に向けたものか外側（店舗や公共スペース等）に向けたものか等の区別が考えられる。ユーザ（企業等）の内側に向けて設置された統合サービス装置１００は、主としてそのユーザのスタッフにより使用され、外側に向けて設置された統合サービス装置１００は、主としてそのユーザにとっての顧客により使用される。顧客向けに設置された統合サービス装置１００は、顧客のために印刷物を出力するニーズがあり、停電時にもなるべくプリント機能の維持が望まれる。
【００８２】
また、一つの業界でも、設置場所によって停電時に維持したい機能が変わってくることもある。例えば、役所のエントランス等に、住民への各種情報提供のために設置された統合サービス装置１００の場合、提供する情報を印刷物の形で出力するニーズがあるため、停電時におけるプリント機能の優先度は高い。これに対し、同じ役所でも職員の作業スペースに設置される統合サービス装置１００の場合、停電時にはサーバ機能の維持の方がプリント機能の維持よりも優先度が高いと考えられる。
【００８３】
このようなことから、この変形例では、設置される業界、設置場所、これらの組合せ等により表される設置目的毎に、統合サービス装置１００にデフォルトの停電時設定情報１２０６（設置目的別のテンプレート）を持たせる。そして、停電時設定情報１２０６の設定のための画面の一つとして、設置目的ごとのテンプレートの選択画面を提供する。このテンプレート選択画面２２０の例を図１３に示す。このテンプレート選択画面２２０には、一般オフィス、病院・クリニック、金融機関、役所の職員向け、役所の住民サービス向け、工場等の、設置目的の選択のためのボタン２２２が列挙して表示される。ユーザが、自分の設置目的に該当するボタン２２２を押下すると、その設置目的が選択状態となる。このとき、その設置目的に対応するテンプレートの情報（例えば各機能がそれぞれ停電時に稼働するか停止するかを示した一覧）を画面表示し、ユーザがそのテンプレートの内容を確認できるようにしてもよい。いずれかの設置目的のボタン２２２を選択した上で、決定ボタンを押下すると、その設置目的のテンプレートが設定管理部１２０４内の停電時設定情報１２０６に上書きされる。また、ＵＩ制御部１２０２は、その上書き後の停電時設定情報１２０６の各機能の停電時稼働フラグの値を反映した設定画面２００（図４参照）を画面表示し、ユーザから各機能の停電時のＯＮ・ＯＦＦの設定変更を受け付ける。このように、ユーザは、設置目的に対応するテンプレートに微調整を加える形で、自分のニーズに沿った停電時設定情報１２０６を構成する。
【００８４】
次に、更なる変形例を説明する。この変形例では、停電時に蓄電装置１６０の蓄電残量が減るにつれて、停止させる機能を段階的に増やしていく。
【００８５】
一つの例では、停電時設定情報１２０６を蓄電残量のレベル毎に用意し、蓄電装置１６０の蓄電残量が停電中に減って行くにつれて、より少ない蓄電残量に対応する停電時設定情報１２０６に従って停止する機能を増やす。
【００８６】
例えば、蓄電装置１６０の蓄電残量が最大値（満充電）から半分の範囲（第１レベル）にあるときの停電時設定情報１２０６（特に停電時稼働フラグ）が、図３に例示するように、ＦＡＸ機構、有線ネットワーク、表示装置１５０、メールサーバ、ファイルサーバ、蓄積モードでのＦＡＸ受信、電話サービスを稼働させ、その他の機能は停止させる設定であったとする。これに対し、例えば、蓄電装置１６０の蓄電残量が最大値の半分から１／４までの範囲（第２レベル）に対応する停電時設定情報１２０６では、満充電では稼働させる機能のうちＦＡＸ機構及びＦＡＸ受信を停止させる設定とし、蓄電残量が最大値の１／４以下の範囲（第３レベル）に対応する停電時設定情報１２０６では、更にファイルサーバを停止させる設定とする。設定管理部１２０４は、蓄電残量のレベル毎に、そのレベルの停電時設定情報１２０６を設定するための設定画面２００を提供する。ここであるレベルの停電時設定情報１２０６の設定画面２００では、そのレベルより蓄電残量が多いレベルで停電時稼働フラグがＯＦＦである機能について、停電時稼働フラグがＯＮに変更できないようにしてもよい。なお、ここで例示した蓄電残量のレベル分けは、あくまで一例に過ぎない。
【００８７】
この変形例では、停電時制御部１２１０は、停電が検知された場合、例えば図１４に例示する制御を実行する。この制御は、Ｓ１０〜Ｓ１６までは図５及び図６に示した手順と同様である。Ｓ１６の判定結果がＹｅｓとなった場合、停電時制御部１２１０は、蓄電装置１６０から現在の蓄電残量の情報を取得し（Ｓ４０）、その蓄電残量が属するレベルに対応する停電時設定情報１２０６を設定管理部１２０４から取得する（Ｓ４２）。そして、停電時制御部１２１０は、取得した停電時設定情報１２０６において停電時稼働フラグがＯＦＦとなっている機能を停止する（Ｓ４４）。この時点では、既に停止されている機能がある場合もあるので、そのような場合には、停電時稼働フラグがＯＦＦである機能のうち、その時点でまだ稼働している機能を停止することになる。Ｓ４４の後、停電時制御部１２１０は、図５及び図６のＳ２２〜Ｓ３２の処理を行う。そしてＳ４０、Ｓ４２、Ｓ４４、及びＳ２２〜Ｓ３２の処理を、例えば定期的に繰り返す。
【００８８】
以上に説明したように、この変形例では、蓄電残量のレベル毎に予め設定された機能のみを稼働させ、他の機能への給電を停止する。これにより、蓄電残量が少ない場合にはより厳選された機能のみを稼働させ、それら機能の稼働時間を延ばすことができる。
【００８９】
この変形例を前の設置目的毎のテンプレートと組み合わせてもよい、すなわち、設置目的と蓄電残量レベルの組合せ毎に停電時設定情報のテンプレートを統合サービス装置１００内に保持させておく。ユーザ等が停電時設定情報の設定を行う際、設置目的を指定すると、設定管理部１２０４は、その設置目的に対応する蓄電残量レベル毎のテンプレートを読み出し、そのテンプレートの内容（各機能についての停電時稼働フラグのＯＮ・ＯＦＦの値）を、それら各蓄電残量レベルに対応する停電時設定情報１２０６にセットする。そして、蓄電残量レベル毎の停電時設定情報１２０６の内容を順に画面表示し、ユーザからＯＮ・ＯＦＦの変更指示を受け付ける。
【００９０】
また、停電中に停電時設定情報１２０６の設定を変更したい場合も考えられる。例えば、現在の設定で停止されている機能を使用したい場合等がその一例である。図１５に示すように、設定管理部１２０４は、ユーザから停電時設定情報１２０６の設定変更の指示を受けたとき（Ｓ５０の判定結果がＹｅｓ）、その時点が既に停電中であれば、現在の蓄電残量レベルに対応する停電時設定情報１２０６（言い換えれば、現在停止している機能を規定している設定）を反映した設定画面２００（図４参照）をＵＩ制御部１２０２に表示させる（Ｓ５２）。これにより、設定画面２００には、現在の各機能の稼働又は停止を反映したボタン２０２ａ、２０２ｂが表示されるので、ユーザはこの中で、停電時稼働フラグがＯＦＦ（すなわち停止対象）の機能のうちいま使用する必要があるものをＯＮに変更したり、いまＯＮであるが不要な機能をＯＦＦに変更したりする。ユーザが決定ボタンを押下すると、設定管理部１２０４は、現在の蓄電残量レベルに対応する停電時設定情報１２０６、設定画面２００に示される各機能のフラグのＯＮ・ＯＦＦ状態を示すものへと変更する。
【００９１】
以上に例示した統合サービス装置１００の情報処理部１２０やサーバ装置１４０は、例えば、コンピュータにそれら各部の機能を表すプログラムを実行させることにより実現される。ここで、コンピュータは、例えば、ハードウエアとして、ＣＰＵ等のマイクロプロセッサ、ランダムアクセスメモリ（ＲＡＭ）およびリードオンリメモリ（ＲＯＭ）等のメモリ（一次記憶）、ＨＤＤ（ハードディスクドライブ）を制御するＨＤＤコントローラ、各種Ｉ／Ｏ（入出力）インタフェース、ローカルエリアネットワークなどのネットワークとの接続のための制御を行うネットワークインタフェース等が、たとえばバスを介して接続された回路構成を有する。また、そのバスに対し、例えばＩ／Ｏインタフェース経由で、ＣＤやＤＶＤなどの可搬型ディスク記録媒体に対する読み取り及び／又は書き込みのためのディスクドライブ、フラッシュメモリなどの各種規格の可搬型の不揮発性記録媒体に対する読み取り及び／又は書き込みのためのメモリリーダライタ、などが接続されてもよい。上に例示した各機能モジュールの処理内容が記述されたプログラムがＣＤやＤＶＤ等の記録媒体を経由して、又はネットワーク等の通信手段経由で、ハードディスクドライブ等の固定記憶装置に保存され、コンピュータにインストールされる。固定記憶装置に記憶されたプログラムがＲＡＭに読み出されＣＰＵ等のマイクロプロセッサにより実行されることにより、上に例示した機能モジュール群が実現される。
【符号の説明】
【００９２】
１００  統合サービス装置、１１０  複合機、１１２  スキャン機構、１１４  プリント機構、１１６  ＦＡＸ機構、１１８  ネットワーク通信部、１２０  情報処理部、１３０  後処理装置、１４０  サーバ装置、１５０  表示装置、１６０  蓄電装置、１２０２  制御部、１２０４  設定管理部、１２０６  停電時設定情報、１２０８  停電検知部、１２１０  停電時制御部、１２１２  操作中判定部。
【図１】
2019092079.tif 000003
【図２】
2019092079.tif 000004
【図３】
2019092079.tif 000005
【図４】
2019092079.tif 000006
【図５】
2019092079.tif 000007
【図６】
2019092079.tif 000008
【図７】
2019092079.tif 000009
【図８】
2019092079.tif 000010
【図９】
2019092079.tif 000011
【図１０】
2019092079.tif 000012
【図１１】
2019092079.tif 000013
【図１２】
2019092079.tif 000014
【図１３】
2019092079.tif 000015
【図１４】
2019092079.tif 000016
【図１５】
2019092079.tif 000017